(57)【要約】【課題】組み付け工程を煩雑にすることなく、薬液を容器外に効率的に揮発・拡散する。【解決手段】電源基板１２が備えられた基板ユニット１と、電源基板１２からの電力により駆動されるモータ３１を備えた駆動ユニット３と、薬液を収納する容器８０と、容器８０内に気流を発生させるべく容器８０の開口部近傍に設けられたファン６０と、薬液を撹拌するスクリュー７０と、基板ユニット１と駆動ユニット３と容器８０とを収納するカバー部材５０とを備えた薬剤発散器であって、駆動ユニット３に形成された係合突起４４を、基板ユニット１に形成された穴部１３，１８に係合させて、基板ユニット１と駆動ユニット３とが一体化され、一体化された状態で、容器８０を駆動ユニット３の下方側から組み付けるとともに、カバー部材５０を駆動ユニット３の上方側から組み付けるように構成されている。【選択図】図３
2010005196.tif 000002
【特許請求の範囲】
【請求項１】
電源基板が備えられた基板ユニットと、前記電源基板からの電力により駆動されるモータを備えた駆動ユニットと、薬液を収納する容器と、前記容器内に気流を発生させるべく前記容器の開口部近傍に設けられ前記モータにより回転駆動されるファンと、前記薬液を撹拌するべく前記ファンから下方に延在するスクリューと、前記基板ユニットと前記駆動ユニットと前記容器とを収納するカバー部材とを備えた薬剤発散器であって、
前記駆動ユニットに形成された係合突起を、前記基板ユニットに形成された穴部に係合させて、前記基板ユニットと前記駆動ユニットとが一体化されるとともに、前記駆動ユニットと前記基板ユニットとが一体化された状態で、前記容器を前記駆動ユニットの下方側から組み付けるとともに、前記カバー部材を前記駆動ユニットの上方側から組み付けるように構成されている薬剤発散器。
【請求項２】
前記組み付けの際の前記カバー部材と前記基板ユニットとの相対移動を案内するとともに、前記カバー部材と前記基板ユニットとが前記組み付けの方向と直行する方向に相対移動することを防止するリブが、前記カバー部材と前記基板ユニットとに各別に形成されている請求項１に記載の薬剤発散器。
【請求項３】
前記電源基板と前記モータとに亘って設けられた導線を前記モータから前記基板ユニットの内部へ案内する案内部が、前記基板ユニットに形成されている請求項１又は２に記載の薬剤発散器。
【請求項４】
前記駆動ユニットの側から前記カバー部材に向けてねじを締結することにより、前記駆動ユニットと前記カバー部材とが固定されるように構成され、前記ねじの締結部位が前記ファンの回転半径と干渉する位置に設けられるとともに、前記ファンの外周部の少なくとも一部が前記締結部位よりも径方向内側に位置するよう構成されている請求項１〜３の何れか一項に記載の薬剤発散器。
【発明の詳細な説明】
【技術分野】
【０００１】
本発明は、電源基板が備えられた基板ユニットと、前記電源基板からの電力により駆動されるモータを備えた駆動ユニットと、薬液を収納する容器と、前記容器内に気流を発生させるべく前記容器の開口部近傍に設けられ前記モータにより回転駆動されるファンと、前記薬液を撹拌するべく前記ファンから下方に延在するスクリューと、前記基板ユニットと前記駆動ユニットと前記容器とを収納するカバー部材とを備えた薬剤発散器に関する。
【背景技術】
【０００２】
従来、この種の薬剤発散器として、例えば特許文献１には、薬液を収納する容器と、この容器内に気流を発生させるべく薬液の液面の上方に設けられた空気撹拌翼と、薬液を撹拌するべく薬液の内部に設けられた薬液撹拌翼とを備えた薬剤発散器が記載されている。この薬剤発散器は、容器の中心部に容器の内部から外部に延出する回転軸体が設けられ、当該回転軸体の容器内の部分にファンとスクリューとが設けられるとともに、回転軸体の容器から延出下部分に風車が設けられている。この薬剤発散器において、風車に風を当てることにより、ファンとスクリューとを回転させて、薬液を撹拌しつつ容器内に気流を発生させることにより、薬液を容器外に効率的に揮発・拡散させることができる。
【０００３】
【特許文献１】実開昭４９−２０６４７号公報（４頁４−９行及び図２）
【発明の開示】
【発明が解決しようとする課題】
【０００４】
ところで、上述のような薬剤発散器では、動力源として回転軸体を回転させる電動モータを設ける場合がある。この場合、電動モータの他に、電源から電動モータへの電力供給を制御するための基板等が必要となる。このため、薬剤発散器に対して、モータや基板等を組み付ける必要があり、部品点数が増大して、組み付け工程が煩雑になるという問題があった。本発明は、上述の問題点に鑑みてなされたものであり、組み付け工程を煩雑にすることなく、薬液を容器外に効率的に揮発・拡散させることができる薬剤発散器を提供することにある。
【課題を解決するための手段】
【０００５】
本発明の第１特徴構成は、電源基板が備えられた基板ユニットと、前記電源基板からの電力により駆動されるモータを備えた駆動ユニットと、薬液を収納する容器と、前記容器内に気流を発生させるべく前記容器の開口部近傍に設けられ前記モータにより回転駆動されるファンと、前記薬液を撹拌するべく前記ファンから下方に延在するスクリューと、前記基板ユニットと前記駆動ユニットと前記容器とを収納するカバー部材とを備えた薬剤発散器であって、前記駆動ユニットに形成された係合突起を、前記基板ユニットに形成された穴部に係合させて、前記基板ユニットと前記駆動ユニットとが一体化されるとともに、前記駆動ユニットと前記基板ユニットとが一体化された状態で、前記容器を前記駆動ユニットの下方側から組み付けるとともに、前記カバー部材を前記駆動ユニットの上方側から組み付けるように構成した点にある。
【０００６】
本構成によれば、駆動ユニットに形成された係合突起を基板ユニットに形成された穴部に係合させるだけで、基板ユニットと駆動ユニットとを一体化することができる。このため、例えば、基板ユニットと駆動ユニットとを一体化するためのねじなどの部材を別途に設ける必要がなく、部品点数を削減することができる。また、基板ユニットと駆動ユニットとの一体化の際にねじの締結等の作業が不要であるので、作業工程を減少させることができる。さらに、一体化された駆動ユニット及び基板ユニットに対して、容器及びカバーを異なる方向から組付けることになるので、組付け作業が容易である。上述の結果、組み付け工程を煩雑にすることなく、薬液を容器外に効率的に揮発・拡散させることができる薬剤発散器を得ることができる。
【０００７】
本発明の第２特徴構成は、前記組み付けの際の前記カバー部材と前記基板ユニットとの相対移動を案内するとともに、前記カバー部材と前記基板ユニットとが前記組み付けの方向と直行する方向に相対移動することを防止するリブを、前記カバー部材と前記基板ユニットとに各別に形成した点にある。
【０００８】
本構成によれば、カバー部材を組付ける際に、カバー部材に形成されたリブと基板ユニットに形成されたリブとにより、リブ及び基板ユニットを互いに適切な組付位置に導くことができる。
【０００９】
本発明の第３特徴構成は、前記電源基板と前記モータとに亘って設けられた導線を前記モータから前記基板ユニットの内部へ案内する案内部が、前記基板ユニットに形成されている点にある。
【００１０】
本構成によれば、案内部により、導線を確実に基板ユニットの内部に案内することができる。
【００１１】
本発明の第４特徴構成は、前記駆動ユニットの側から前記カバー部材に向けてねじを締結することにより、前記駆動ユニットと前記カバー部材とが固定されるように構成され、前記ねじの締結部位が前記ファンの回転半径と干渉する位置に設けられるとともに、前記ファンの外周部の少なくとも一部が前記締結部位よりも径方向内側に位置するよう構成されている点にある。
【００１２】
本構成によれば、駆動ユニットとカバー部材とを固定するねじの締結部位をファンの回転半径と干渉する位置に設けることにより、ねじの締結部位をファンの回転半径の外側に設ける場合と比較して、駆動ユニット及びカバー部材を小型することができる。その一方で、ファンの外周部の少なくとも一部がねじの締結部よりも径方向内側に位置するよう構成されている。このため、ねじの締結部とファンの外周部がねじの締結部よりも径方向内側に位置する部位との相対回転位置を一致させた状態でねじを締結することにより、ファンと工具等の干渉を防止することができ、組付作業が容易になる。
【発明を実施するための最良の形態】
【００１３】
以下、本発明の実施の形態について図面を用いて説明する。図１、図２、及び図３に示すように、この薬剤発散器は、電源基板１２が備えられた基板ユニット１と、電源基板１２からの電力により駆動されるモータ３１を備えた駆動ユニット３と、薬液９を収納する容器８０と、容器８０の開口部近傍に設けられモータ３１により回転駆動されるファン６０と、薬液９を撹拌するスクリュー７０と、カバー部材５０とを備える。この薬剤発散器は、基板ユニット１と駆動ユニット３とが、基板ユニット１の上側部分で互いに組付けられ、容器８０が駆動ユニット３の下方側に取付けられ、カバー部材５０が基板ユニット１と駆動ユニット３の上方から設けられた状態で構成されている。基板ユニット１と駆動ユニット３とは、互いに略直交するように組付けられている。
この薬剤発散器において家庭用電源や電池などの電源（図示せず）からの電力が、電源基板１２を介してモータ３１に供給されると、モータ３１により、スクリュー７０及びファン６０が回転し、薬液が撹拌されるとともに、容器内に気流が発生して、薬液を容器外に効率的に揮発・拡散させることができる。薬液としては、例えば芳香剤、消臭剤、殺虫剤など目的に応じて適宜選択することができる。
【００１４】
図２及び図３に示すように、基板ユニット１は、電源（図示せず）に接続されたアダプタが接続され電源からの電力を制御する制御回路（図示せず）が形成された電源基板１２と、電源基板１２を内部に収納する筐体状の収納ケース１１とを備える。また、収納ケース１１は、駆動ユニット３が取り付けられる第１ケース１１ａと、第１ケース１１ａに対向して収納空間を形成する第２ケース１１ｂとを備える。
【００１５】
図２及び図３に示すように、第１ケース１１ａの上側部分には、後述するモータホルダ３４の係合突起４４が係合する穴部１３が形成されている。本実施形態では、穴部１３は第１ケース１１ａの上側縁辺に沿って２箇所に形成されている。また、図３中の拡大図に示すように、モータ３１と電源基板１２とに亘って設けられる導線３２を基板ユニット１から駆動ユニット３へと案内する案内部１６が形成されている。本実施形態では、案内部１６は第１ケース１１に設けられた切欠である。具体的には、第１ケース１１ａの上側部分の縁部には、案内部１６と連通する切欠１７が形成されている。この切欠１７の幅は、案内部１６の幅よりもやや小さく設定され、案内部１６に導線３２を設けた後に、切欠１７を通過して導線３２が案内部から外れるのを防止している。また、第１ケース１１ａの両側方には、縁部に沿って延在するリブ１４が形成されている。さらに、第１ケース１１ａには、複数のねじ穴１５（本実施形態では３つ）が形成されている。
【００１６】
図２及び図３に示すように、第２ケース１１ｂには、第１ケース１１ａの穴部１３が形成された箇所と対向する箇所に、係合突起４４が係合する穴部１８が形成されている。また、第１ケース１１ａのねじ穴１５と対向する箇所にねじを締結する座部１９が形成されている。また、図８に示すように、第２ケースの下方には、薬剤発散器が転倒した場合など、基板ユニット１に薬液等の液体が浸入した際に当該液体を外部に逃がすための液抜き穴２０が形成されている。また、液抜き穴２０の上方には、液抜き穴２０と対向して、液抜き穴２０から埃などの異物が混入するのを防止するリブ２１が形成されている。
【００１７】
図２及び図３に示すように、電源基板１２には、ねじ穴１５及び座部１９と対向する位置にねじ穴２２が形成されている。また、電源基板１２の穴部１３，１８と対向する位置には、切欠２３が形成され、穴部１３，１８に係合突起４４を係合させる際に、係合突起４４と電源基板１２との干渉が防止される。
【００１８】
図２及び図３に示すように、駆動ユニット３は、電源基板１２からの電力により駆動されるモータ３１と、モータ３１を保持するモータホルダ３４と、モータホルダ３４にモータ３１を固定する固定部材４３とを備える。モータ３１には、電源基板１２からの電力をモータ３１に供給する導線３２の一端が接続され、導線３２の他端が電源基板１２に接続されている。
【００１９】
図２及び図３に示すように、モータホルダ３４には、当該モータホルダ３４を基板ユニット１に取り付ける際に、穴部１３，１８に挿入される係合突起４４が形成されている。図３及び図４に示すように、係合突起４４の先端の部分は穴部１８に形成された凸部２４と係合する爪部４５が形成されている。モータホルダ３４の一方の面には、モータホルダ３４の中心近傍の領域を取り囲むリブ３５が立設されて、モータ保持空間３６が形成されている。モータ保持空間３６の略中央部には、モータ３１の回転軸３３を挿通する穴部が貫通形成されている。モータ保持空間３６を形成するリブ３５の一部に導線３２を案内する切欠３８が形成されるとともに、当該切欠３８からモータホルダ３４の外周に向けて導線３２を電源基板１２に案内する案内部３７が形成されている。案内部３７の基板ユニット１の側の端部は、第１ケース１１ａの案内部１６と対向するように配置されている。また、図２及び図９に示すように、モータホルダ３４の他方の面には、外周部に沿って、容器８０を取り付けるための溝部３９が形成されている。溝部３９の内周側の壁部には、周方向に沿って延在する凸部４０が形成されている。
【００２０】
図２、図３及び図４に示すように、モータホルダ３４には、容器８０の内部と外部とを連通する通気孔４１及び、モータホルダ３４をカバー部材５０に組み付ける際のねじ穴４２とが形成されている。本実施形態では、ねじ穴４２は３箇所に形成されている。また、図６に示すように、ねじ穴４２は、ファン６０の回転半径ｒ（つまり、大径部６３）と干渉するが、小径部６４とは干渉しない位置に形成されている。
【００２１】
また、図２、図３及び図５に示すように、カバー部材５０は、駆動ユニット３及び基板ユニット１の上側部分と対向する天壁５１と、天壁５１の外周部分に立設された側壁５２とを有し、容器８０の底部及び基板ユニット１の下部と対向する側が開口している。図９に示すように、カバー部材５０には、駆動ユニット３及び容器８０を収納する第１収納空間５３と、基板ユニット１を収納する第２収納空間５４とが形成されている。側壁５２の第１収納空間５３と第２収納空間５４との境界部に、容器８０の第２収納空間５４の側の外周部が当接するリブ５５が、側壁５２の立設方向に沿って形成されている。さらに、このリブ５５よりも第２収納空間５４の側の側壁５２に、基板ユニット１に形成されたリブ１４と当接するリブ５６が、側壁５２の立設方向に沿って形成されている。天壁５１には、ねじ穴４２と対向する位置に、ねじ９２が締結される座部５８が形成されている。また、カバー部材５０の天壁５１及び側壁５２には、カバー部材５０の内外を連通する通気孔５７が形成されている。
【００２２】
図３及び図７に示すように、ファン６０は、底板６２と底板６２に立設された羽根部６１とを備える。底板６２は、大径部６３と大径部６３よりも径の小さい小径部６４とが交互に配置され、大径部６３から小径部６４に向かって径が曲線的に漸減するように構成されている。羽根部６１は、当該羽根部６１の外周側の端部が大径部６３に位置するように、中心側から外周側に延在している。底板６２の羽根部６１が立設された側の面の中心部にはモータ３１の回転軸３３を圧入する穴部６５が形成されている。また、底板６２の羽根部６１が立設された側の面とは反対側の面に、スクリュー７０を取り付けるための取付部６６が形成されている。取付部６６は、後述するスクリュー７０の回転軸７２が挿入される筒部６７と、筒部６７の基端部に形成された穴部６８と、筒部６７の先端部に形成された切欠６９とを備える。
【００２３】
図３及び図７に示すように、スクリュー７０は、薬液９を撹拌する撹拌部７１と、回転軸７２とを備える。本実施形態において、撹拌部７１と回転軸７２とは、一体的に形成されている。また、回転軸７２の先端部には、筒部６７に形成された穴部６８に係合する爪部７４及び切欠６９に係合する凸部７３が形成されている。
【００２４】
次に、この薬剤発散器の組付けの一例について説明する。先ず、基板ユニット１のユニット化について説明する。なお、本実施形態では、電源基板１２とモータ３１との間の導線３２の配線は、基板ユニット１のユニット化に先立ち行われている。この電源基板１２を第１ケース１１ａと第２ケース１１ｂとで形成される収納空間に設け、第１ケース１１ａのねじ穴１５、電源基板１２のねじ穴２２、及び第２ケース１１ｂの座部１９に亘ってねじ９１を締結して一体化される。このとき、既に電源基板１２とモータ３１とに亘って導線３２が設けられているが、切欠１７を介して導線３２を案内部１６に挿通させることにより、基板ユニット１とモータ３１との間で導線３２が案内される（図３を参照）。
【００２５】
次に駆動ユニット３のユニット化について説明する。モータホルダ３４のモータ保持空間３６に、モータ３１の回転軸３３をモータ保持空間３６の中央部に設けた穴部（図示せず）に挿通させた状態でモータ３１を配置するとともに、導線３２を切欠３８及び案内部３７を介して基板ユニット１の側へ案内する。モータ保持空間３６の開口部に固定部材４３が取り付けられ、モータ３１がモータホルダ３４に固定される。なお、固定部材４３を使うことなく、カバー部材５０によりモータ３１を保持してもよい。ファン６０の穴部６５にモータ３１の回転軸７２が挿入されて、駆動ユニット３にファン６０が取り付けられる（図３を参照）。
【００２６】
また、図７に示すように、スクリュー７０がファン６０にとりつけられる。ファン６０の筒部６７に、スクリューの回転軸７２が挿入され、筒部６７の基端部に形成された穴部６８に、爪部７４が係合するとともに、切欠６９に凸部７３が係合して、スクリュー７０がファン６０に取付けられる。
【００２７】
基板ユニット１の第１ケース１１ａ側から穴部１３，１８に係合突起４４を挿入して、基板ユニット１と駆動ユニット３とが一体化される。このとき、図３及図４に示すように、基板ユニット１に対して、駆動ユニット３が略直交するように組付けられる。また、このとき、係合突起４４に形成された爪部４５の間隔が、穴部１８に形成された凸部２４の間隔よりも小さく設定され、弾性変形により爪部４５と凸部２４とが互いに乗り越えることにより、組付け後の抜けが防止される（図４を参照）。
【００２８】
図３及び図９に示すように、一体化された基板ユニット１及び駆動ユニット３に対して、カバー部材５０及び容器８０が組付けられる。駆動ユニット３及び基板ユニット１の上方側からカバー部材５０が被せられる。勿論、基板ユニット１及び駆動ユニット３の天地を逆転させた状態で互いを組付けてもよく、傾倒させた状態で組み付けてもよい。この際、カバー部材５０に形成されたリブ５６と基板ユニット１に形成されたリブ１４とが互いに摺接することにより、基板ユニット１が確実に第２収納空間５４に案内され、基板ユニット１に一体化された駆動ユニット３についても確実に第１収納空間５３に案内される。また、基板ユニット１に形成されたリブ１４とカバー部材５０に形成されたリブ５６とが当接することにより、基板ユニット１とカバー部材５０とが組み付けの方向と直行する方向に相対移動することを防止される。その後、カバー部材５０の内側から、モータホルダ３４に形成されたねじ穴４２と、カバー部材５０に形成された座部とに亘ってねじ９２を締結することにより、駆動ユニット３がカバー部材５０に固定される。このとき、図６に示すように、ファン６０の底板６２の小径部６４をねじ穴４２と同じ回転位相に位置させてねじ９２を締結することにより、ファン６０とねじ９２や工具との干渉を防止して、容易にねじ９２を締結することができる。
【００２９】
なお、上述したファン６０の底板６２の形状は、上述の基板ユニット１及び駆動ユニット３の取付構造のものに限らず、例えば基板ユニット１及び駆動ユニット３をネジにより締結する構造のものや基板ユニット１及び駆動ユニット３が一体的に設けられた構造のものにも適用可能である。これらの場合にも、駆動ユニット３とカバー部材５０とを固定するに際し、ファン６０の底板６２の小径部６４をねじ穴４２と同じ回転位相に位置させてねじ９２を締結することにより、ファン６０とねじ９２や工具との干渉を防止して、容易にねじ９２を締結することができる（図６を参照）。
【００３０】
カバー部材５０の開口部から容器８０が挿入され、駆動ユニット３に容器８０が取り付けられる。容器８０の開口８１の縁部がモータホルダ３４の溝部３９に挿入される。このとき、図２に示すように、容器８０の開口８１近傍の内周面に形成された溝部８２にモータホルダ３４の溝部３９の内周壁に形成され凸部４０が係合することにより、抜け止めがされる。また、図５に示すように、容器８０の外周部がカバー部材５０に形成されたリブ５５に当接して、カバー部材５０の内部における容器８０の位置が保持される。
【００３１】
上述のように、駆動ユニット３に形成された係合突起４４を穴部１３，１８に係合させるだけで、基板ユニット１と駆動ユニット３とを一体化することができる。このため、例えば、基板ユニット１と駆動ユニット３とを一体化するためのねじなどの部材を別途に設ける必要がなく、部品点数を削減することができる。また、基板ユニット１と駆動ユニット３との一体化の際にねじの締結等の作業が不要であるので、作業工程を減少させることができる。さらに、一体化された駆動ユニット３及び基板ユニット１に対して、容器８０及びカバー部材５０を異なる方向から組付けることになるので、組付け作業が容易である。上述の結果、組み付け工程を煩雑にすることなく、薬液を容器８０外に効率的に揮発・拡散させることができる薬剤発散器を得ることができる。
【産業上の利用可能性】
【００３２】
本発明は、薬液を容器外に揮発・拡散させる薬剤発散器に適用することができる。
【図面の簡単な説明】
【００３３】
【図１】本発明に係る薬剤発散器を示す斜視図及び断面図
【図２】本発明に係る薬剤発散器を示す断面図
【図３】本発明に係る薬剤発散器を示す分解斜視図
【図４】基板ユニットと駆動ユニットとの組付状態を示す断面図
【図５】基板ユニット及び容器とカバー部材との組付状態を示す断面図
【図６】ファンと駆動ユニットのねじの締結部との位置関係を示す図
【図７】ファンへのスクリューの取付を示す図
【図８】第２ケースの一部拡大図
【図９】基板ユニット及び駆動ユニットとカバー部材との組付を示す図
【符号の説明】
【００３４】
１    基板ユニット
３    駆動ユニット
９    薬液
１２  電源基板
１４  リブ
１６  案内部
３１  モータ
５０  カバー部材
５６  リブ
６０  ファン
７０  スクリュー
８０  容器
【図１】
2010005196.tif 000003
【図２】
2010005196.tif 000004
【図３】
2010005196.tif 000005
【図４】
2010005196.tif 000006
【図５】
2010005196.tif 000007
【図６】
2010005196.tif 000008
【図７】
2010005196.tif 000009
【図８】
2010005196.tif 000010
【図９】
2010005196.tif 000011